(57)【要約】本発明は、調理やフライパンなどの調理用器に結ばれる調理用取っ手に、調理温度を感知する温度センサと温度センサを動作させる回路基板、電源供給用電池、ブザー５０を一体性があるように組立して水密に維持した状態で安全な組立に、調理用器の加熱物が設定温度に達したときに音で知らせる調理器取っ手の調理温度アラーム装置である。  このアラーム装置は、取っ手本体１０の収容部１２の底に配置されたパッキン２０によって収容部１２に密着に装着されて水密性を達成し、周壁の内面３２に少なくても１つ以上の突条３０を形成して、収容される回路基板４０の側縁部に形成された係合溝４２に係合させて回路基板４０の変位を防止し、回路基板４０と電線４４によって接続されたブザー５０を、回路基板４０とは別に収容するブザー収容部５２が一体性あるように形成されたカバー６０を備える。
2004095994.tif 000002
【特許請求の範囲】
【請求項１】
加熱物が収容される調理器本体の側部に、調理器取っ手が着脱自在に連結され、前記調理器取っ手には、少なくとも調理器本体内の加熱物の温度を検出する温度検出部と、音を発生する音発生部と、前記温度検出部によって検出された検出温度が前記予め定める設定温度に達したとき、前記音発生部に警報音を発生させる信号処理部とが備えられる調理器取っ手の調理温度アラーム装置において、
前記調理器取っ手は、前記温度検出部、警報音発生部および信号処理部が設けられる取っ手本体と、前記取っ手本体に着脱自在に設けられ、取っ手本体に収容された前記温度検出部、警報音発生部および信号処理部を、水密に覆うカバーとを含むことを特徴とする調理器取っ手の調理温度アラーム装置。
【請求項２】
前記温度検出部と信号処理部とは、温度検出側の電線によって電気的に接続され、これらの温度検出部および信号処理部間には、前記温度検出側の電線が挿通されるシーリング片によって水密に仕切られることを特徴とする請求項１記載の調理器取っ手の調理温度アラーム装置。
【請求項３】
前記信号処理部と警報音発生部とは、警報音発生側の電線によって電気的に接続され、これらの信号処理部および警報音発生部間は、前記警報音発生側の電線が挿通される隔壁によって水密に仕切られることを特徴とする請求項１記載の調理器取っ手の調理温度アラーム装置。
【請求項４】
前記カバーには、警報音発生部が収容される空間に連通し、気体の通過を許容しかつ液体の通過を遮断する透孔が形成され、
前記カバーの前記透孔が形成される部分と警報音発生部との間には、気体の通過を許容しかつ異物の通過を阻止するフィルタが介在されることを特徴とする請求項１記載の調理器取っ手の調理温度アラーム装置。
【請求項５】
調理器取っ手には、少なくとも前記回路基板、電池およびブザーが内蔵される保護ケースが着脱可能に装着されることを特徴とする請求項１記載の調理器取っ手の調理温度アラーム装置。
【発明の詳細な説明】
【技術分野】  本発明は、調理器の取っ手に実施される調理温度アラーム装置に関し、もっと詳しくは、調理鍋やフライパンなどの調理器に結合される調理器取っ手に調理温度を感知する温度センサ、温度センサを作動する回路基板、電源供給用電池およびブザーなどを一体性があるように組み立てられ、水密性を維持した状態で安全な組み付け型調理器において加熱物が設定温度になると報知する調理器取っ手の調理温度アラーム装置に関する。
【背景技術】  一般的に、鍋やフライパンなどの調理器は、調理器本体に調理器取っ手であるサイドハンドルが設けられた構造になっているため、携帯しやすく、煎る料理のときには調理器本体がぐらつかないようにして安全に調理でき、その調理器本体を加熱物が入ったままで調理室から食卓まで容易に運ぶことができる。
このような従来のサイドハンドルは、調理器本体の外面に連結部を固定して携帯することができる構成になっており、調理器本体を、簡単に調理器取っ手を使って自由に、しかも安全に運搬することが可能であるが、調理器本体の加熱状態を感知して知らせることができるように構成されていないため、調理者が直接目で加熱物の加熱状態を視覚的に判断して料理を行っている。
加熱状態の目視による判断は、不安定であり、調理に慣れていない人には難しく、他の作業をしながら、頻繁に加熱状態を確認しなければならず、調理作業を行う上で利便性が悪いという問題がある。また、調理器に対して離れた遠い場所では、加熱物の加熱状態が判りにくいので、他の作業と並行して調理することが難しいという問題がある。
加熱状態を感知して前記の問題を解決する先行技術は、特開平２−２３２０１３号公報に調理用測温装置として開示されている。この従来技術では、調理器取っ手に温度センサを設置し、この温度センサの検出情報に基づいて所定の調理情報信号を発する発信手段によって調理物の温度を測定し、ブザーの鳴動によって加熱状態を知らせるようになっている。しかし、この温度センサは、調理器取っ手の上部または調理器本体内に長く引き出されて延びるアームの先端に設けられた構造になっているため、人為的に前記アームを屈曲操作して温度センサを調理される加熱物に接触させることによって、高精度で加熱温度を感知することができるが、前方に引き出された温度センサは、調理用容器本体に対して最適な位置に配置されなければならない。
したがって、前述の各従来技術では、調理者が調理するとき、人為的な操作および視覚的な確認作業によって加熱温度を検出しなければならず、使い勝手が悪いという問題がある。また、温度センサおよび発信手段が設けられる調理器取っ手の構造には防水機能が設けられていないので、調理器本体を水で洗うときに調理器取っ手内への水の浸入に気をつけなければならず、腐食などを生じて長期にわたって使用することができなくなってしまい、経済性が悪いという問題がある。
また、他の従来技術は、本件出願人によって韓国実用新案登録第２７４２５８号として提案されている。この調理器取っ手の調理温度アラーム装置は、調理器取っ手に温度センサ、回路基板、およびブザーを備えており、温度感知手段によるブザーによって調理者が加熱温度を認識できるようにして、初期の調理物を入れた調理器本体をバーナに置いて他のことをしながら調理状態が判るという便利さを提供する。
しかし、この従来技術は、検出手段および発信手段の構成部品が調理器取っ手に集中的に配置されているため、調理器取っ手を製造するに際して組立作業が煩雑であり、また修理や点検のときに調理器取っ手の分解・組立を容易に行うことができず、利便性が悪いという問題がある。またシーリングされてない状態で調理器取っ手を使うので、調理器を洗うときや使用中に、前記調理器取っ手内に浸入した水分によって、前記検出手段および発信手段の構成部品が腐食してしまい、この腐食に起因する故障が生じやすく、経済性が悪いという問題がある。
一方、本願出願人によってなされた韓国実用新案登録第３１９７７３号のような調理器取っ手の調理温度アラーム装置においては、調理用取っ手に組付けられるカバーに、調理温度を感知する温度センサと、温度センサを作動する回路基板および電源供給用電池、ブザー等を一体性よく配列した後に組付けて、また、気密に保持した状態で組付けられるので、調理容器の調理物を設定温度で知らせるようになっている。
ところが、前記技術は、調理用取っ手に着脱可能に配置され組付けられるカバーに回路基板と電池およびブザー等が一体性よく配置する空間があまりにも大きくて、組付けが不便になり、配置面積が大きくて、気密保持がよく行われなくて、部品損傷による故障が頻繁であった。
また、取っ手の広い領域にかけて部品の配置が行われるので、組付け安定性が不足し、修理・点検が不便になる問題があった。
【発明の開示】
このような問題点を解決するために本発明の目的は、調理器本体の外面に装着された調理器取っ手に、温度センサを調理器本体と隣接させて内蔵させ、検出手段および発信手段などをカバーによって覆われた空間内に入れて、安全で良好なシーリング状態になるように組み立てて、製造時の組立性を向上することができるようにした調理器取っ手の調理温度アラーム装置を提供することである。
また本発明の他の目的は、調理器取っ手の内部が防水されるように組み立て、調理器を洗うとき、水分による腐食を防いで長い間使うことができる経済性の向上された調理器取っ手の調理温度アラーム装置を提供することである。
本発明は、上述のような従来の問題点を解決するためになされたもので、調理容器ボディーの外面に付着される調理器取っ手の所定領域に回路基板と電池およびブザー等を受容する保護ケースを埋め込み、カバーを螺線結合して、組付けの便利性を向上し、部品管理および保管を安定かつ良好にすると共に、組付けの便利性と製品安定性を図る調理器取っ手の調理温度アラーム装置を提供することを目的とする。
前記目的を達成するため、本発明は、加熱物が収容される調理器本体の側部に、調理器取っ手が着脱自在に連結され、前記調理器取っ手には、少なくとも調理器本体内の加熱物の温度を検出する温度検出部と、音を発生する音発生部と、前記温度検出部によって検出された検出温度が前記予め定める設定温度に達したとき、前記音発生部に警報音を発生させる信号処理部とが備えられる調理器取っ手の調理温度アラーム装置において、
前記調理器取っ手は、前記温度検出部、警報音発生部および信号処理部が設けられる取っ手本体と、前記取っ手本体に着脱自在に設けられ、取っ手本体に収容された前記温度検出部、警報音発生部および信号処理部を、水密に覆うカバーとを含むことを特徴とする調理器取っ手の調理温度アラーム装置である。
また本発明は、前記温度検出部と信号処理部とは、温度検出側の電線によって電気的に接続され、これらの温度検出部および信号処理部間には、前記温度検出側の電線が挿通されるシーリング片によって水密に仕切られることを特徴とする。
また本発明は、前記信号処理部と警報音発生部とは、警報音発生側の電線によって電気的に接続され、これらの信号処理部および警報音発生部間は、前記警報音発生側の電線が挿通される隔壁によって水密に仕切られることを特徴とする。
また本発明は、前記カバーには、警報音発生部が収容される空間に連通し、気体の通過を許容しかつ液体の通過を遮断する透孔が形成され、
前記カバーの前記透孔が形成される部分と警報音発生部との間には、気体の通過を許容しかつ異物の通過を阻止する濾過フィルタが介在されることを特徴とする。
さらに本発明は、調理器取っ手には、少なくとも前記回路基板、電池およびブザーが内蔵される保護ケースが着脱可能に装着されることを特徴とする。
本発明によれば、調理器本体に付着される調理器取っ手の所定領域に保護ケースを配置し、この保護ケースに感知手段がお知らせ手段等を安全に受容してカバーで気密に保持することにより、組付けが簡単で容易であり、部品の故障の発生なしに安全に使用することができるようにし、故障または異常が発生したときに修理・点検をより容易にかつ迅速に行えることによって、作業の便利性を図るなど、調理工程が迅速であって生産性向上を達成しながら、修理・点検を単純化して迅速に行なうことが可能となる。
【図面の簡単な説明】  本発明とこれらの目的とそれ以外の目的と、特徴と利点とは、下記の詳細な説明と図面とから一層明確になるであろう。
図１は、本発明の実施の一形態の調理温度アラーム装置１００を調理器取っ手に適用した状態を示す分解斜視図である。
図２は、調理温度アラーム装置１００が調理器取っ手に内蔵された状態を示す全体の断面図である。
図３は、調理温度アラーム装置１００のカバー６０と取っ手本体１０とが組み立てられた状態を示す一部の断面図である。
図４は、調理温度アラーム装置１００のカバー６０が組み立てられた状態を示す下方から見た斜視図である。
図５は、調理温度アラーム装置１００のブザー５０が内蔵された状態を示す一部の断面図である。
図６は、調理温度アラーム装置１００を備える調理器取っ手が調理器本体８０に装着された状態を示す斜視図である。
図７は、本発明の実施の他の形態の調理器取っ手の調理温度アラーム装置１０１を示す分解斜視図である。
図８は、アラーム装置１０１の斜視図である。
図９は、アラーム装置１０１の縦断面図である。
図１０は、保護ケース１２０のカバー１９２への装着位置を示す分解斜視図である。
図１１は、アラーム装置１０１の使用状態を示す斜視図。
【発明を実施するための最良の形態】  添付図面を参照して詳しく説明する。
図１は本発明の実施の一形態の調理温度アラーム装置１００を調理器取っ手に適用した状態を示す分解斜視図であり、図２は調理温度アラーム装置１００が調理器取っ手に内蔵された状態を示す全体の断面図であり、図３は調理温度アラーム装置１００のカバー６０と取っ手本体１０とが組み立てられた状態を示す一部の断面図であり、図４は調理温度アラーム装置１００のカバー６０への温度センサ４８の取り付け状態を示す下方から見た斜視図であり、図５は調理温度アラーム装置１００のブザー５０が内蔵された状態を示す一部の断面図である。
図１および図５に示されるように、本実施の形態の調理器取っ手の調理温度アラーム装置１００は、調理器本体８０の側面に取っ手本体１０が固定され、この取っ手本体１０の中央にある収容部１２には、検出回路および発信回路を備える信号処理部である回路基板４０と、音発生部であるブザー５０と、温度検出部である温度センサ４８とを収容した後、カバー６０によって覆われるように構成されている。
前記取っ手本体１０は、耐熱性および耐衝撃性の高い硬質のたとえばフェノール樹脂から成る。また前記カバー６０は、耐熱性および耐衝撃性の高いたとえばＡＢＳ樹脂から成る。さらに前記温度センサ４８は、熱電対、測温抵抗体またはサーミスタなどの温度検出素子によって実現される。
この取っ手本体１０の長手方向中間部には、前記長手方向に垂直な断面が凹状の収容部１２が前記長手方向に延びかつ上方（図１の上方）に開放して形成される。この収容部１２の底には、可撓性および弾発性を有する合成樹脂または合成ゴムから成るパッキン２０が設けられる。このパッキン２０は無端状の四角形であるが、断面は一定の厚みがあって確実にシーリングすることができる構造であれば、他の形態のものも用いることができる。
前記カバー６０は、環状の周壁と、この周壁の一方の開口を塞ぐ上壁とを有し、他方の開口の開口周縁部は前記パッキン２０に密着して収容部１２に挿入され、周壁部の内面３２には前記上壁に向かって直線状に延びる少なくとも１つ以上の突条３０が内方に突出して形成されている。
この突条３０は、カバー６０内の収容空間に収容される回路基板４０の一側縁部に形成される係合溝４２に案内されて係合するとともに、回路基板４０の移動が係合溝４２に沿って自由になるように、カバー６０の開口周縁部から底部に向かって長く延びて形成されている。
前記回路基板４０と電線４４によって接続されているブザー５０とを取っ手本体１０およびカバー６０に個別に収容するために、回路基板４０が収容される回路基板収容空間とは別に、取っ手本体１０の長手方向一端部には円柱状のブザー収容空間を形成するブザー収容部５２が設けられる。
前記カバー６０には、回路基板４０と温度センサ４８とを接続する電線４６の一領域に装着されたシーリング片７０を嵌合されて係止する嵌合凹所６２が形成される。
前記カバー６０にはまた、嵌合凹所６２の近傍に、シーリング片７０が垂直に挿入されて電線４６安全な設置状態となるように、２つの支持突起７３ａ，７３ｂが垂直方向に形成される。前記シーリング片７０は、可撓性および弾発性を有するたとえば合成ゴムによって実現される。
前記カバー６０のブザー収容部５２には、中央に透孔５４が形成される上壁部分があって、異物質の流入を遮断しながら音は放出可能な濾過フィルタ７２と、スペーサとしての音響放出フィルタ７４とが、ブザー５０と前記透孔５４が形成される上壁部分との間に介在される。前記透孔５４は、内径が０．１ｍｍ〜１．２ｍｍの直円柱状の孔によって実現される。
このように構成される調理器取っ手の調理温度アラーム装置１００は、図１および図２に示されるように、調理器本体８０の一側部に取っ手本体１０が装着されるが、取っ手本体１０の長手方向他端部の端面で開口する挿入孔１４に、調理器本体８０に設けられた挿入突部６４を挿入させ、ここに前記挿入孔１４側から差し込まれたボルト７６を螺着することによって、着脱自在でかつ安全な組立状態で取っ手本体１０が調理器本体８０に取り付けられる。
この取っ手本体１０の収容部１２には、前記カバー６０が装着されるが、このカバー６０の内面３２にある突条３０に回路基板４０の係合溝４２を挿入しながら回路基板４０をカバー６０底部に向かって押圧すると、回路基板４０はカバー６０の内部に挿入される。
この状態で、カバー６０に収容された回路基板４０の裏面に設けられる端子としての一対の案内リング６６間に電池５９を装着する。ブザー収容部５２にはブザー５０を装着する。温度センサ４８を挿入孔１４の上段空間５８に配置した状態で、電線４６のシーリング片７０をカバー６０にある嵌合凹所６２に入れると、安定的に設置することになる。
前記ブザー５０の内部には、前記濾過フィルタ７２と音響放出フィルタ７４とを配置する。濾過フィルタ７２は、透孔５４を通じて空気とともにカバー６０内に吸い込まれる埃などの微小な空中浮遊物質を濾過して、取っ手本体１０内への異物の浸入を阻止することができる。また音響放出フィルタ７４は、ブザー５０の音発生部から発生された音が外部へ正確にかつ確実に伝達できるように、ブザー５０の音を放出する部分と前記透孔５４の上壁部分との間に音響空間が形成される。
このようにして取っ手本体１０は、調理器本体８０に装着された状態で、取っ手本体１０内への異物浸入に対する予防と、音発生機能の管理ができるように構成されている。
前記カバー６０は、収容部１２に装着され、前記パッキン２０に開口周縁部が水密に密着し、前記収容部１２に収容される前記回路基板４０などの収容物を水密に覆うことができる。またカバー６０の内面３２には、少なくとも１つ以上の案内突起３０が形成され、収容される回路基板４０の側縁部に形成された係合溝４２と係合し、回路基板４０をカバー６０に装着するときに回路基板４０が案内されて装着が容易であるとともに、装着後には回路基板４０がカバー６０内で使用時の振動などによって不所望に変位してずれてしまうことが防がれる。またカバー６０には、回路基板４０と電線４４によってブザー５０が接続され、このブザー５０を別に収容するブザー挿入室５２が一体性あるように形成されている。
このように、複数の部品を配置したカバー６０を取っ手本体１０の収容部１２に収容すると、収容部１２の底のパッキン２０とカバー６０の開口周縁部とが水密に密着され、取っ手本体１０の本体側から挿入したボルト５６，５７をカバー６０のボスに螺着することによって、少ない組立て工数で容易かつ迅速に、確実にシーリングされた状態で組み立てを完了することができる。
したがって、調理器本体８０に調理物を入れて加熱して、設定温度８０℃〜１２０℃になると、温度センサ４８が感知して回路基板４０を通じてブザー５０を鳴動させることができるので、作業者は、調理器から離れた場所にいても、音によって加熱物が設定温度に達したことを容易に認識することができる。
調理器本体８０に取っ手を洗浄するとき、カバー６０と取っ手本体１０をパッキン２０とシーリング片７０によってシーリングし、安定的・衛生的に使うことができるので、部品の損傷や汚染などを防止して長期の使用が可能であり、これによって経済性を向上することができる。
また、取っ手を使用する際に故障が生じた場合には、取っ手本体１０からカバー６０だけを分離して修理することができるので、利便性が向上される。
図７は、本発明の実施の他の形態の調理器取っ手の調理温度アラーム装置１０１を示す分解斜視図であり、図８はアラーム装置１０１の斜視図であり、図９はアラーム装置１０１の縦断面図であり、図１０は保護ケース１２０の状態の分解斜視図であり、図１１はアラーム装置１０１の使用状態を示す斜視図である。
本実施の形態の調理器取っ手の調理温度アラーム装置１０１は、調理器本体１３０の一側部に調理器取っ手１１０が設けられ、この調理器取っ手１１０の所定領域の下部から上部へ保護ケース１２０が挿入されており、保護ケース１２０には、キャップ１５０が螺着されている。このようなアラーム装置１０１は、保護ケース１１０を調理器取っ手１１０の取っ手本体の収容部５２に、検出回路および発信回路を備える信号処理部である回路基板１２２および音発生部であるブザー１２６などを予め収容した保護ケース１２０を装着することによって、容易に組み立てることができるように構成されている。
前記保護ケース１２０は、前記キャップ１５０キャップ１５０が螺着された状態で、前記調理器取っ手１１０の所定領域で下部から上部に上向に挿入され、少なくとも回路基板１２２、電池１２４およびブザー１２６等を内蔵しており、内部は第１内蔵室１７０と第２内蔵室１７２とに区画されている。これらの第１および第２内蔵室１７０，１７２は、大略的に直円柱状の各周壁によって形成される。
前記第１内蔵室１７０は、濾過フィルタ機能と音響放出機能とを備えるフィルタ１６４と、このフィルタ１６４に密着されるブザー１２６とを内蔵しており、第２内蔵室１７２は、ブザー１２６が搭載される回路基板１２２と、電池１２４が順次的に積層して内蔵されており、第２内蔵室１７２の外径は、前記第１内蔵室１７０より大きい直径で構成されている。前記電池１２４は、薄い直円柱状のいわゆるボタン電池によって実現される。また、前記調理器取っ手１１０の取っ手本体は、耐熱性および耐衝撃性の高い硬質のたとえばフェノール樹脂から成る。
前記第１内蔵室１７０の周壁の軸線方向一端部と第２内蔵室１７２の周壁の軸線方向一端部とが連なる段差部には、保護ケース１２０を調理器取っ手１１０に装着した状態における保護ケース１２０の締付けの安定性と空回り防止のために、係止突起１８４が形成されている。
この係止突起１８４は、第１内蔵室１７０と第２内蔵室１７２との境界部位である段差部に少なくとも一つ以上が形成され、前記調理器取っ手１１０の内面に設けられる角部階段面に前記係止突起１８４の一側面が支持されることによって、保護ケース１２０の調理器取っ手１１０への締付け状態を保つことができる。
前記第２内蔵室１７２の外郭面には、引出し部１８２が第１内蔵室１７０の方向に突出して形成されている。引出し部１８２は、第２内蔵室１７２の内部と貫通され、電線１４０が引出可能となるように形成されている。
また、前記保護ケース１２０内の回路基板１２２と、前記保護ケース１２０とは独立して調理器本体１３０に隣接した位置に配置される温度検出器である温度センサ１４２とは、電線１４０を介して連結され、電気的に接続されている。
前記電線１４０は、調理器取っ手１１０内に隠された状態で配置されており、電線１４０を点検するかまたは異常があった場合、修理作業をより便利にかつ簡素化にすることができるように、調理器取っ手１１０の内部には電線１４０が収容される空間部１９０を形成し、この空間部１９０の上部はカバー１９２で被せて配置するのが好ましい。
前記カバー１９２は、耐熱性および耐衝撃性の高いたとえばＡＢＳ樹脂から成る。さらに前記温度センサ１４２は、熱電対、測温抵抗体またはサーミスタなどの温度検出素子によって実現される。
前記保護ケース１２０の下部には、有底直円筒状のキャップ１５０が着脱可能に螺着され、保護ケース１２０の上部には、第１内蔵室１７０の周壁よりも小径の二重の円筒状の間隔保持管１８６が形成されている。ここで、保護ケース１２０の下部とは、保護ケース１２０を調理器取っ手１１０に装着した状態で下方に配置される軸線方向一端部をいい、また保護ケース１２０の上部とは、保護ケース１２０を調理器取っ手１１０に装着した状態で上方に配置される軸線方向他端部をいう。
またキャップ１５０の外側中央部には、コインまたはドライバが掛合される一直径線方向に延びる掛合溝１８０が形成されている。
上述のような構成からなる本発明の調理器取っ手の調理温度アラーム装置１０１は、調理器本体１３０の一側に付着される調理器取っ手１１０の所定領域に上下部の外径に差異があるように形成される保護ケース１２０を下部から上向きに挿入して、第１内蔵室１７０の底面から濾過フィルタと音響放出フィルタからなるフィルタ１６４を挿入し、回路基板１２２が一体性よく連結されているブザー１２６を配置すると、ブザー１２６は第１内蔵室１７０に配置されると共に、回路基板１２２は前記第１内蔵室１７０と第２内蔵室１７２の境界面上に形成されている段付部に載せられる。
このように回路基板１２２を配置し、この回路基板１２２の上面に電池１２４を載置しておいた後、保護ケース１２０の下部にキャップ１５０を螺着すると、安全な組付け状態をなすようになる。ここで、組付け時に下部から差し込むと、部品の挿入に困難があり、組付けるに不便があるので、第２内蔵室１７２が上部に位置した状態で各種部品を内蔵し、キャップ１５０を螺着した一つの保護ケース１２０を、調理器取っ手１１０の所定領域に下部から上部に挿入するのが好ましい。
このように調理器取っ手１１０に組付けられたキャップ１５０の内面には、Ｏリング１５２が配置され保護ケース１２０の上面と密着するので、安全なシール状態で気密に保持する。
一方、回路基板１２２に一側が連結される電線１４０は、第１内蔵室、第２内蔵室１７０、１７２の各周壁の境界部上で引出し部１８２から外部に引き出され、他の一側には温度センサ１４２が連結され、この温度センサを調理器取っ手１１０の一側に配置し、調理器取っ手１１０が調理器本体１３０の一側に組付けられるとき、調理器本体１３０の隣接領域に配置されるようにして、調理物の加熱状態が感知できる。
前記保護ケース１２０から外部に電線１４０が引き出される引出し部１８２は、電線１４０が引き出された後には、シール剤を塗布して空間部がないようにすることで、電線１４０の引出し部が気密に保持した状態をなすようにして安全な使用が可能となる。
一方、前記キャップ１５０の上面には、掛合溝１８０が形成されているので、コインまたはドライバを利用してキャップ１５０がより堅固に安全な組付けが可能であるとともに、キャップ１５０を容易に離脱させることが可能である。
また、第１内蔵室１７０の外径角部で第２内蔵室１７２の外径と境界する部位に形成される係止突起１８４は、前記調理器取っ手１１０の空間部１９０の収容空間角部階段面に一側部が支持されることによって締付け状態を保ち、保護ケース１２０の締付け状態を堅固にして、空回りを防止することができるので、保護ケース１２０の調理器取っ手への装着状態が安定し、容易に離脱してしまうことが防止される。
また、前記カバー１９２の一側は保護管形態で形成され、前記保護ケース１２０の第１内蔵室１７０の外面を収納するようにしており、外部からの水分の浸入を防止し、かつ音響を外部へ放出することができるフィルタ１８８が介在される。
一方、前記保護ケース１２０の第１内蔵室１７０の上部には、二重の間隔保持管１８６が形成されていて、保護ケース１２０が調理器取っ手１１０に挿入されるとき、保護ケース１２０の下部に組付けられるキャップ１５０の底面が調理器取っ手１１０の底面と一致するように、保護ケース１２０が挿入される調理器取っ手１１０内の空間深さに対応する間隔を保持している。
このように本実施の形態によれば、調理器本体１３０に設けられる調理器取っ手１１０の所定領域である調理器本体１３０とは反対側の長手方向他端部寄りに保護ケース１２０を配置し、この保護ケース１２０にブザー等を安全に受容してカバー１５０で気密に保持することにより、組付けが簡単で容易であり、電池１２４などの部品の故障の発生なしに安全に使用することができるようにし、故障または異常が発生そたときに修理・点検をより容易にかつ迅速に行えることによって、作業の便利性を図るなど、調理工程が迅速であって生産性向上を達成しながら、修理・点検を単純化して迅速に行なうことが可能となる。
本発明は、その精神または主要な特徴から逸脱することなく、他のいろいろな形で実施することができる。したがって、前述の実施形態は、あらゆる点で単なる例示に過ぎず、本発明の範囲は、請求の範囲に示すものであって、明細書本文には何ら拘束されない。
さらに、請求の範囲の均等範囲に属する変形や変更は、全て本発明の範囲内のものである。
【産業上の利用可能性】  調理器の実使用時における加熱に対する安全性の向上を図り、調理器取っ手の修理のときの利便性を向上し、水や異物の調理器取っ手内への浸入を防止して、故障の発生を抑制し、耐久性を向上する。
【図１】
2004095994.tif 000003
【図２】
2004095994.tif 000004
【図３】
2004095994.tif 000005
【図４】
2004095994.tif 000006
【図５】
2004095994.tif 000007
【図６】
2004095994.tif 000008
【図７】
2004095994.tif 000009
【図８】
2004095994.tif 000010
【図９】
2004095994.tif 000011
【図１０】
2004095994.tif 000012
【図１１】
2004095994.tif 000013
【国際調査報告】
2004095994.tif 000014
2004095994.tif 000015
2004095994.tif 000016
2004095994.tif 000017